(57)【要約】【課題】内蓋が設けられた缶体に備えられ、前記内蓋を取り外して前記缶体を開封した後に、前記缶体内に収容された内容物を保護するためのオーバーキャップであって、缶体内に収容された内容物と非接触の状態で、専用の計量スプーンを付属させることができるオーバーキャップを提供する。【解決手段】缶体１００に嵌着される枠状基部２と、枠状基部２に着脱される上蓋部３とを有し、枠状基部２の枠板部１０の内周側に大梁部２４が架設され、大梁部２４と枠板部２０との間に架け渡すようにして保持された計量スプーン６を備える。【選択図】      図６
2019085121.tif 000002
【特許請求の範囲】
【請求項１】
内蓋が設けられた缶体に備えられ、前記内蓋を取り外して前記缶体を開封した後に、前記缶体内に収容された内容物を保護するためのオーバーキャップであって、
前記缶体に嵌着される枠状基部と、
前記枠状基部に着脱される上蓋部と
を有し、
前記枠状基部の枠板部の内周側に大梁部が架設され、
前記大梁部と前記枠板部との間に架け渡すようにして保持された計量スプーンを備えることを特徴とするオーバーキャップ。
【請求項２】
前記計量スプーンが、計量部の付け根部が前記大梁部に支持されて、前記大梁部と直交する方向に架け渡されているとともに、
前記計量スプーンの柄部を挟む一対の係止部が先端に形成された支持部が、前記枠板部に立設されている請求項１に記載のオーバーキャップ。
【請求項３】
前記大梁部が、前記枠板部の開口中心から外れるように架設されている請求項１又は２に記載のオーバーキャップ。
【請求項４】
前記大梁部と前記大梁部が近接する側の前記枠板部との間に、小梁部が架設されている請求項３に記載のオーバーキャップ。
【請求項５】
前記上蓋部がヒンジを介して前記枠状基部に接続され、
前記上蓋部の周縁における前記ヒンジと対向する位置に、摘み片が形成されるとともに、
閉蓋状態で前記摘み片の下方に位置する前記枠状基部の外周側筒状部の下端縁に、切り欠き部が形成され、
前記切り欠き部を前記摘み片とともに覆い隠すカバー部が、前記外周側筒状部に切り離し可能に設けられている請求項１〜４のいずれか一項に記載のオーバーキャップ。
【発明の詳細な説明】
【技術分野】
【０００１】
本発明は、計量スプーンを備えるオーバーキャップに関する。
【背景技術】
【０００２】
例えば、粉ミルクなどの湿気を嫌う粉粒体を収容する容器として、アルミニウムシートなどからなる不通気性の内蓋によって内部が密封されるとともに、かかる内蓋を剥離して開封した後に、収容された内容物を保護するためのオーバーキャップを備える金属製の缶体が知られている（例えば、特許文献１参照）。
【０００３】
また、このような缶体に収容された内容物は、一般に、開封後に定量ずつ取り出して使用される。このため、適量の内容物を計り取ることができるように、専用の計量スプーンを内容物とともに缶体内に収容して付属させたものも知られている。
【先行技術文献】
【特許文献】
【０００４】
【特許文献１】特開２００９−２４１９３９号公報
【発明の概要】
【発明が解決しようとする課題】
【０００５】
しかしながら、内容物とともに計量スプーンが缶体内に収容されていると、流通時の振動などによって内容物中に埋もれてしまう。そうすると、計量スプーンを取り出す際には、内容物の中に手指を入れて埋もれた計量スプーン探さなければならないため、衛生的に好ましくなく、また、手指を汚してしまうという問題があった。
【０００６】
本発明は、上記したような事情に鑑みてなされたものであり、缶体内に収容された内容物と非接触の状態で、専用の計量スプーンを付属させることができるオーバーキャップの提供を目的とする。
【課題を解決するための手段】
【０００７】
本発明に係るオーバーキャップは、内蓋が設けられた缶体に備えられ、前記内蓋を取り外して前記缶体を開封した後に、前記缶体内に収容された内容物を保護するためのオーバーキャップであって、前記缶体に嵌着される枠状基部と、前記枠状基部に着脱される上蓋部とを有し、前記枠状基部の枠板部の内周側に大梁部が架設され、前記大梁部と前記枠板部との間に架け渡すようにして保持された計量スプーンを備える構成としてある。
【発明の効果】
【０００８】
本発明によれば、缶体内に収容された内容物と非接触の状態で、専用の計量スプーンを付属させることができる。また、内容物を取り出した後は、枠状基部に計量スプーンを保持させて、上蓋部を閉じれば、計量スプーンを衛生的に保管することもできる。
【図面の簡単な説明】
【０００９】
【図１】本発明の実施形態に係るオーバーキャップの一例を示す説明図である。
【図２】本発明の実施形態に係るオーバーキャップの一例を示す説明図である。
【図３】本発明の実施形態に係るオーバーキャップの一例を示す説明図である。
【図４】図１のＡ−Ａ断面図である。
【図５】本発明の実施形態に係るオーバーキャップを備える缶体の開封操作を示す説明図である。
【図６】本発明の実施形態に係るオーバーキャップの上蓋部を開いた状態を示す説明図である。
【図７】計量スプーンの一例を示す説明図である。
【発明を実施するための形態】
【００１０】
以下、本発明の好ましい実施形態について、図面を参照しつつ説明する。
なお、図１〜図３は、本実施形態に係るオーバーキャップの一例を示す説明図であり、図４は、図１のＡ−Ａ断面図である。
【００１１】
オーバーキャップ１は、内蓋１０２が設けられた缶体１００に備えられ、内蓋１０２を取り外して缶体１００を開封した後に、缶体１００内に収容された内容物を保護するためのものである。
【００１２】
本実施形態において、缶体１００は、円筒状の缶胴を有しており、例えば、アルミニウムシートなどからなる不通気性の内蓋１０２が、缶体１００の頂部に巻き締められた環状のフランジ部１０３に取り付けられるなどして、内部が密封された状態になっている。内蓋１０２を取り外して開封した後は、開封された缶体１００の開口部をオーバーキャップ１で封止して、缶体１００内を再密封することによって、収容された内容物を保護することができる。
【００１３】
オーバーキャップ１は、缶体１００に嵌着される枠状基部２と、枠状基部２に着脱される上蓋部３とを有しており、上蓋部３がヒンジ４を介して枠状基部２に接続されている。これにより、缶体１００に嵌着された枠状基部２に対して、ヒンジ４を軸に上蓋部３が回動することによって開閉されるヒンジ式の開閉蓋として、缶体１００に取り付けられる。
【００１４】
このようなオーバーキャップ１は、例えば、ポリプロピレン，ポリエチレン等の熱可塑性樹脂を用いて射出成形することによって所定形状に成形され、その弾性変形を利用して缶体１００に取り付けることができる。
【００１５】
枠状基部２は、開封された缶体１００の開口部よりも大きく又はほぼ等しく開口する環状の枠板部２０と、枠板部２０の外周縁に沿って垂下する外周側筒状部２１と、外周側筒状部２１と同心状に枠板部２０から垂下する内周側筒状部２２とを有している。外周側筒状部２１は、缶体１００の頂部側の外周面を覆うように垂下する。内周側筒状部２２は、缶体１００の頂部に形成された巻き締め部１０１の内周面に密着するように垂下する。そして、外周側筒状部２１の内周面には、外周側筒状部２１と内周側筒状部２２との間に挟持された巻き締め部１０１と嵌合する突条２１ａが周方向に沿って形成されており、これによって、枠状基部２を缶体１００に嵌着できるようになっている。
【００１６】
一方、缶体１００の頂部側の外周面には、オーバーキャップ１を缶体１００に取り付けたときに、当該外周面を覆うように垂下する外周側筒状部２１の下端縁に当接又は近接する段部１０４が、周方向に沿って設けられている。このようにすることで、外周側筒状部２１の下端縁に手指を掛け難くなり、オーバーキャップ１が缶体１００から不用意に外れてしまうのを防ぐことができる。
【００１７】
図示する例では、外周側筒状部２１の厚みに応じて、外周側筒状部２１で覆われる部分の外径を小さくすることで、缶体１００の頂部側の外周面に段部１０４を形成しているが、これに限定されない。外周側筒状部２１の下端縁に手指を掛け難くすることができれば、例えば、環状に膨出する環状突出部を周方向に沿って形成することによって、段部１０４が形成されるようにしてもよい。
【００１８】
また、枠状基部２の枠板部２０の周縁部には、環状に立ち上る環状突部２ａが立設されている。上蓋部３の周縁部には、枠状基部２に立設された環状突部２ａと嵌合する環状溝３ａが形成されている。これにより、ヒンジ４を軸に回動することによって開閉する上蓋部３が、環状突部２ａと環状溝３ａとが嵌合することで閉じた状態に保たれて、開封後の缶体１００内の密封性を確保することができる。
なお、環状突部２ａと環状溝３ａの具体的な形状は、上蓋部３を閉じた状態に保つことができれば特に限定されない。また、上蓋部３を閉じた状態に保つことができれば、環状突部２ａと環状溝３ａに代えて、他の嵌合構造を採用してもよい。
【００１９】
上蓋部３を開いて缶体１００に収容された内容物を取り出す際には、上蓋部３を持ち上げながら環状突部２ａと環状溝３ａとの嵌合を解除しつつ、ヒンジ４を軸に回動させる。このときの開蓋操作が容易に行えるように、上蓋部３の周縁のヒンジ４と対向する位置（ヒンジ４から最も離れた位置）には、周縁から突出する摘み片３１が形成されており、摘み片３１に手指を掛けて上蓋部３を持ち上げられるようにしている。そして、上蓋部３が閉じた状態にあるときに、枠状基部２の外周面と、上蓋部３の外周面との間に、手指が掛かるような段差が生じないように、これらの形状を適宜設計することで、摘み片３１に手指を掛けなければ、上蓋部３を開けられないようにすることができる。
【００２０】
また、上蓋部３を閉じた状態で、上蓋部３に形成された摘み片３１の下方に位置する枠状基部２の外周側筒状部２１の下端縁には、切り欠き部２３が形成されている。切り欠き部２３は、缶体１００の頂部側の外周面に設けた段部１０４との間に隙間が形成され、かかる隙間に手指を入れることができるようになっていれば、その形状や大きさは限定されない。図示する例では、周方向に沿った長さが摘み片３１とほぼ等しい矩形状に切り欠き部２３を形成することで、手指を入れ易くしている。このような切り欠き部２３を形成することで、切り欠き部２３に手指を掛けて、オーバーキャップ１を缶体１００から取り外すことができるようにしている。
【００２１】
本実施形態では、このような切り欠き部２３とともに、上蓋部３に形成された摘み片３１を覆い隠すカバー部５が、枠状基部２の外周側筒状部２１に切り離し可能に設けられている。これにより、摘み片３１に手指を掛けられないようにして、上蓋部３が開かないようにすることができる。さらに、缶体１００の頂部側の外周面に、前述したような段部１０４を設けることで、外周側筒状部２１の下端縁に手指を掛け難くしたことと相俟って、カバー部５を切り離して切り欠き部２３に手指を掛けなければ、オーバーキャップ１を缶体１００から取り外すことができないようにすることができる。その結果、本実施形態にあっては、これらが協働的に作用して不正開封防止手段として機能し、カバー部５を切り離すことで不正開封防止手段が解除される。さらに、カバー部５を切り離し可能に設けることにより、カバー部５が切り離されていることで開封されたことを明示する開封明示手段としても機能する。
【００２２】
カバー部５は、切り欠き部２３と摘み片３１とを覆い隠すことができれば、その具体的な形状や大きさは限定されないが、切り欠き部２３と摘み片３１とを覆い隠すことができる最小限の大きさとするのが好ましい。図示する例では、枠状基部２の外周側筒状部２１の上下幅とほぼ等しい幅の短冊状に形成されており、その周方向両端部が薄肉部５０を介して外周側筒状部２１に接続されている。これにより、オーバーキャップ１の全周の一部に設けられたカバー部５を、その薄肉部５０を切除して枠状基部２から切り離すだけで、不正開封防止手段を解除することができる。
【００２３】
ここで、図１は、カバー部５を切り離す前の状態を示し、図２は、カバー部５を切り離して不正開封防止手段を解除した状態を示しており、図２中、薄肉部５０を切除した跡を鎖線５０ａで示している。
また、図３では、カバー部５で覆い隠された切り欠き部２３と摘み片３１とを透視して示している。
【００２４】
このようなカバー部５には、その上辺側に部分的に突出する突片５１を延設するのが好ましい。これにより、突片５１を摘まんで引っ張りながら、カバー部５を切り離すことができる。そして、このような突片５１を延設する場合には、その内面に、上蓋部３に形成された摘み片３１に係止される突部５２を形成するのが好ましい。これにより、不正開封防止手段を解除する前に上蓋部３が開いてしまうのを、より確実に防止することができる。
【００２５】
また、カバー部５は、外周側筒状部２１との間に空隙が形成された状態で、薄肉部５０を介して外周側筒状部２１に接続されている。このため、外力が作用してカバー部５が押し潰されるように変形してしまうと、それに伴って生じる応力によって、薄肉部５０が意図せずに切除されてしまう虞がある。このような不具合を防ぐために、カバー部５の内面には、枠状基部２の外周側筒状部２１に当接又は近接する一又は複数のリブ５３を設けておくのが好ましい。
【００２６】
本実施形態に係るオーバーキャップ１を備える缶体１００を開封するには、まず、枠状基部２の外周側筒状部２１からカバー部５を切り離して、外周側筒状部２１の下端縁に形成された切り欠き部２３を露出させる（図５（ａ），（ｂ）参照）。次いで、露出した切り欠き部２３に手指を掛けて、オーバーキャップ１を缶体１００から取り外す（図５（ｃ）参照）。そして、缶体１００に設けられた内蓋１０２を取り外して開封し（図５（ｄ）参照）、オーバーキャップ１を缶体１００に付け直して開封された開口部を封止する（図５（ｅ）参照）。これによって、開封作業が完了し、開封後は、上蓋部３を開閉することで、缶体１００内に収容された内容物を取り出すことができる（図５（ｆ）参照）。
【００２７】
このような本実施形態によれば、オーバーキャップ１の全周の一部に設けられたカバー部５を切り離すだけで、不正開封防止手段を解除できるので、開封作業を容易に行うことができる。さらに、外周側筒状部２１の下端縁に形成された切り欠き部２３に手指を掛けなければ、オーバーキャップ１を取り外すことができないため、開封後も不用意にオーバーキャップ１が外れてしまわないようにすることができる。
【００２８】
また、本実施形態に係るオーバーキャップ１は、缶体１００内に収容された内容物を定量ずつ計り取るための計量スプーン６を備えている。
【００２９】
図示する例において、枠状基部２には、その枠板部２０の内周側に大梁部２４が架設されている（図６参照）。これにより、大梁部２４と枠板部２０との間に架け渡すようにして、計量スプーン６を保持することができ、計量スプーン６で内容物を計り取る際には、架設された大梁部２４を利用して余剰分を擦り切ることができる。
なお、図６は、カバー部５を切り離して不正開封防止手段を解除した後に、上蓋部３を開いた状態を示している。
【００３０】
このようにして、オーバーキャップ１が計量スプーン６を備えるようにすることで、缶体１００内に収容された内容物と非接触の状態で、専用の計量スプーン６を付属させることができる。また、内容物を取り出した後は、枠状基部２に計量スプーン６を保持させて、上蓋部３を閉じれば、計量スプーン６を衛生的に保管することもできる。
【００３１】
また、計量スプーン６は、計量部６１の付け根部が大梁部２４に支持されて、大梁部２４と直交する方向に架け渡されている。そして、大梁部２４と枠板部２０との間に架け渡すように保持された計量スプーン６が脱落したりしないように、枠板部２０には、計量スプーン６の柄部６２を挟む一対の係止部２５ａが先端に形成された支持部２５を立設するのが好ましい。
【００３２】
また、大梁部２４は、枠板部２０の開口中心から外れるように架設するのが好ましい。大梁部２４を架設したことによって、枠板部２０の内周側は二つの領域に仕切られるが、大梁部２４と枠板部２０との間隔が広く開いている方の領域から内容物を取り出すようにすれば、計量スプーン６で内容物を取り出す際に、大梁部２４が邪魔になり難くすることができる。
【００３３】
そして、枠板部２０の開口中心から外れるように大梁部２４を架設した場合には、大梁部２４と大梁部２４が近接する側の枠板部２０との間に、補強部材としての小梁部２６を架設することができる。図示する例では、計量スプーン６の計量部６１の幅よりも若干大きい間隔で、大梁部２４と直交する二つの小梁部２６が平行に架設されている。
また、上蓋部３を開く際には、上蓋部３を弾性変形させながら環状突部２ａと環状溝３ａとの嵌合を解除しつつ、ヒンジ４を軸に回動させることになるが、このとき計量スプーン６が上蓋部３と干渉してしまうと、上蓋部３の開蓋操作に支障を来たしてしまうことが懸念される。開蓋操作時の上蓋部３と計量スプーン６との干渉を避けるためには、大梁部２４をヒンジ４の回動軸に直交する方向に架設するするとともに、枠板部２０の開口中心からより大きく外れるように枠板部２０に近接させて架設し、そのように架設した大梁部２４に、計量部６１の付け根部が支持されて、大梁部２４と直交する方向（ヒンジ４の回動軸と平行な方向）に計量スプーン６が架け渡されるようにするのが好ましい。
【００３４】
また、本実施形態にあっては、計量スプーン６を枠状基部２に保持させる都合上、計量スプーン６の長さが制限され、例えば、内容物が少なくなってきたときに、缶体１００の底部に残る内容物を取り出し難くなってしまうことが懸念される。このような不具合を解消するために、計量スプーン６の柄部６２は、その本体部６２ａに延長部材６３をスライド可能に取り付けて、必要に応じて、長さを調整できるようにするのが好ましい。
【００３５】
例えば、図７に示すように、延長部材６３は、その両側縁部に設けられたガイド溝６３ａに、柄部６２の本体部６２ａの両側縁が挿入されて、柄部６２の長さが伸縮するようにスライド可能に取り付けることができる。このとき、本体部６２ａの幅が計量部６１の付け根部から末端部側に向かって僅かに広がり、かつ、ガイド溝６３ａの深さが終端側に向かって僅かに浅くなるようにして、延長部材６３をスライドさせると、本体部６２ａの末端部側がスライド溝６３ａにしだいに圧着されていき、柄部６２の長さが伸長した状態で固定されるようにするのが好ましい。このようにすることで、スライドさせた延長部材６３が、本体部６２ａから脱落してしまうのを防ぐこともできる。
なお、図７（ａ）は、枠状基部２に保持させる際の状態を示し、図７（ｂ）は、延長部材６３をスライドさせて柄部６２を伸長させた状態を示している。
【００３６】
以上、本発明について、好ましい実施形態を示して説明したが、本発明は、前述した実施形態にのみ限定されるものではなく、本発明の範囲で種々の変更実施が可能であることはいうまでもない。
【符号の説明】
【００３７】
１          オーバーキャップ
２          枠状基部
２０          枠板部
２３          切り欠き部
２４          大梁部
２５          支持部
２５ａ          係止部
２６          小梁部
３          上蓋部
３１          摘み片
４          ヒンジ
５          カバー部
６          計量スプーン
１００          缶体
１０２          内蓋
【図１】
2019085121.tif 000003
【図２】
2019085121.tif 000004
【図３】
2019085121.tif 000005
【図４】
2019085121.tif 000006
【図５】
2019085121.tif 000007
【図６】
2019085121.tif 000008
【図７】
2019085121.tif 000009